(57)【要約】【課題】  地面に安定して置くことができ、プランター台に置くときは、プランター台に係止され確実に載せることができるプランターを提供する。【解決手段】  植物を植える植込容器２６と、植込容器２６に取り付けられ適度な弾力性を有し地面に接地される３個の脚部である折曲部２２とを備える。折曲部２２は、外側に突出する段部２４を有し、段部２４は別体のプランター台３２に弾性変形して係止される。植込容器２６の外側には枠部材１２が設けられ、折曲部２２は、湾曲された棒部材の両端部が枠部材１２に連結されて形成され、段部２４は折曲部２２の基端部付近をＬ字形に折り曲げて形成されている。【選択図】        図２
2005185735.tif 000002
【特許請求の範囲】
【請求項１】
植物を植える植込容器と、上記植込容器に取り付けられ適度な弾力性を有し地面に接地される複数の脚部と、上記脚部に形成され外側または内側に突出する段部が設けられ、上記段部は別体の台部材に弾性変形して係止されることを特徴とするプランター。
【請求項２】
上記植込容器の外側には枠部材が設けられ、上記脚部は、湾曲された棒部材の両端部が上記枠部材に連結されて設けられ、上記段部は上記棒部材の脚部を外側にＬ字形に折り曲げて設けられていることを特徴とする請求項１記載のプランター。
【請求項３】
上記台部材は、上記植込容器の上記段部に嵌合して取り付けられる取付枠と、上記取付枠に一体に形成され地面に当接する支持部が設けられていることを特徴とする請求項１記載のプランター。
【発明の詳細な説明】
【技術分野】
【０００１】
この発明は、植物を植えて飾るプランターに関する。
【背景技術】
【０００２】
近年、園芸用品が多種多様になり、植物を植えるプランターやプランターを地面から離して飾るプランター台など、種類が豊富であり、色や形状、素材も豊富になっている。
【特許文献１】特開平１１−１６４６２５号公報
【発明の開示】
【発明が解決しようとする課題】
【０００３】
例えば植物を植えたプランターを、地面に置いたプランター台に載せるとき、プランター台を置く位置を決めてからプランターを載せていた。移動するときはプランターを一旦降ろしてプランター台を移動させたり、プランター台とプランターをいっしょに手で持ち、その状態で持ち上げて移動させたりして、不便であった。またプランターは、プランター台に単に載せられているだけのものが多く、互いに係止しているものはなかった。そのため、プランターが傾いたり落ちたりすることもあった。一方、プランターの中で、プランター台に載せる専用のものは、底部が外側に湾曲して丸くなっているものや、三角錐状に尖っているものなど、いろいろな形がある。しかしこのようなプランター台専用のプランターは、その形状から地面に置くことができなかった。
【０００４】
この発明は、上記従来の技術の問題点に鑑みてなされたものであり、地面に安定して置くことができ、プランター台に置くときは、プランター台に係止され確実に載せることができるプランターを提供することを目的とする。
【課題を解決するための手段】
【０００５】
この発明は、植物を植える植込容器と、上記植込容器に取り付けられ適度な弾力性を有し地面に接地される複数の脚部と、上記脚部に形成され外側に突出する段部が設けられ、上記段部は別体の台部材に弾性変形して係止されるプランターである。
【０００６】
また、上記植込容器の外側には枠部材が設けられ、上記脚部は、湾曲された棒部材の両端部が上記枠部材に連結されて設けられ、上記段部は上記棒部材の脚部を外側にＬ字形に折り曲げて設けられている。
【０００７】
また、上記台部材は、上記植込容器の上記段部に嵌合して取り付けられる取付枠と、上記取付枠に一体に形成され地面に当接する支持部が設けられている。
【発明の効果】
【０００８】
本発明のプランターは、地面に置いてもプランター台に載せても安定し、植物を飾る高さを庭のデザインや環境にあわせて変更することができる。また、プランター台を一体に係止することができるため、傾いたり落下したりすることを防ぎ、場所を移動する際はプランター台と一体になっているため運びやすく便利である。
【０００９】
また、プランターの脚部により、プランターをそのまま床に置いた場合も、プランターの位置が床面から多少高い位置となり、外観的に、植え込んだ植物や鉢が見易く綺麗である。さらに、脚部は部段が形成されて折り曲げられており、その形状がプランターの美観を向上させ、プランター自体の意匠的価値を高めている。
【発明を実施するための最良の形態】
【００１０】
以下、この発明の実施形態について図面に基づいて説明する。図１は、この発明の一実施形態を示すもので、この実施形態のプランター１０は、ビニールコーティングされた金属製のワイヤで作られた枠部材１２により形成されている。枠部材１２は、円形で大きい径の上枠１４と、円形で小さい径の下枠１６が上下に互いに平行に設けられ、中間には中間の径の中枠１８が設けられている。上枠１４、中枠１８、下枠１６には、各枠に交差して設けられた縦枠２０で保持されている。縦枠２０は複数本、ここでは３本が中心でＵ字形に折り曲げられて６本となり、６本が互いに等間隔に、上枠１４、中枠１８、下枠１６に取り付けられている。縦枠２０のＵ字形の折曲部２２は、下枠１６の下方に突出し、プランター１０を地面に置くときの３個の脚部となる。折曲部２２の、下枠１６に近い一対の部分には、下枠１６の外側へＬ字形に折り曲げられて段部２４が形成されている。また、下枠１６の内側には十字に組み合わされた底支持部２５が設けられている。
【００１１】
上枠１４、中枠１８、下枠１６、縦枠２０で組み立てられた上方が広く開口する円筒状の枠部材１２の内側には、ココナッツファイバーシートで作られた植込容器２６が入れられている。植込容器２６は、円形の底部２８と、底部２８を囲み上方に行くにつれて径が広がる円筒状の側面部３０がテグスなどで縫い合わされて設けられている。
【００１２】
この実施形態のプランター１０は、図２に示す台部材であるプランター台３２に載せても良い。プランター台３２は、プランター１０の枠部材１２と同じビニールコーティングされたワイヤで作られている。ただし、強度を持たせるために径が太いワイヤが使用されている。プランター台３２には、プランター１０の下枠１６とほぼ同じ径の円形の取付枠３４が設けられ、取付枠３４の３ヶ所には、下方に延出する３本の支持部３６が設けられている。支持部３６の下端部は、外側に湾曲して折り返された接地部３８が設けられている。
【００１３】
この実施形態のプランター１０の使用方法は、植込容器２６の内側に培地を入れ、植物を植える。そしてプランター１０を地面に直接置くときは、折曲部２２を脚部として接地する。折曲部２２は３ヶ所設けられ、安定して立設される。プランター１０をプランター台３２に載せるときは、プランター１０の下枠１６をプランター台３２の取付枠３４の上に重ね、このとき下枠１６の下方に突出する折曲部２２の段部２４は取付枠３４の内周面に当接する。さらに力を入れてプランター１０を押し下げると、折曲部２２が取付枠３４に押されてプランター１０の内側へ弾性変形する。折曲部２２の段部２４が保持部３４を通過したとき、折曲部２２の弾性変形が元に戻り、取付枠３４は下枠１６と段部２４の間に保持され、係止される。そしてプランター台３２の接地部３８を地面に設置する。
【００１４】
この実施形態のプランター１０によれば、プランター１０のみでも折曲部２２により安定して地面に立設し、ココナッツファイバーシートで作られた底部２８が濡れたり汚れたりすることが無く、また通気性が良好で植物の生育にもよい。そして、プランター１０はプランター台３２に載せるときプランター台３２を一体に係止することができるため、傾きや落下を防いで安定して飾ることができる。また、場所を移動する際はプランター台３２と一体になっているため運びやすく便利である。プランター１０は、地面に直接置いてもプランター台３２に置いても安定して使用することができるため、植物を飾る高さを庭のデザインや環境にあわせて変更することができる。植込容器２６は、ココナッツファイバーシートで作られているため、天然素材の風合いがあり、外観が良好である。
【００１５】
なお、この発明のプランターは、上記実施の形態に限定されず、各素材は自由に選択可能であり、プランターの形状は円形に限らず、楕円や矩形でも良く、プランターの形に合わせたプランター台に載せて係止することができる。ワイヤの太さは用途に合わせて適したものを使用することができる。プランターの枠部材はワイヤの数や配置も自由に設定可能であり、プランター台の形状も、プランターに確実に係止されるものであれば変更可能である。また、縦枠と折曲部は別体でも良く、別体の場合は、上枠や中枠に折曲部を設けても良い。
【図面の簡単な説明】
【００１６】
【図１】この発明の一実施形態のプランターの斜視図である。
【図２】この実施形態のプランターがプランター台に載せられている状態を示す斜視図である。
【符号の説明】
【００１７】
１０  プランター
１２  枠部材
１４  上枠
１６  下枠
１８  中枠
２０  縦枠
２２  折曲部
２４  段部
２６  植込容器
３２  プランター台
３４  取付枠
３６  支持部
３８  接地部
【図１】
2005185735.tif 000003
【図２】
2005185735.tif 000004